(57)【特許請求の範囲】
【請求項１】
上向きの弁棒挿入孔(17)を有する弁本体(1) と、弁棒挿入孔(17)に上端部を突出させて挿入されそのめねじ部(18)にねじ合わされた弁棒(2)と、弁本体(1) の上端部に設けられた環状の開閉表示部材(3) と、開閉表示部材(3) の上方に配されて弁棒(2) の上端部に固定されたハンドル(4) とを備え、ハンドル(4) の回動操作に伴う弁棒(2) の上下動により弁本体(1) 内の通路(12)(13)が開閉されるとともに、ハンドル(4) に設けられたのぞき窓(10)より開閉表示部材(3) に設けられた開および閉記号(34)(35)を観察することにより通路(12)(13)の開閉状態が確認できるようになされている開閉表示機能付き制御器において、
ハンドル(4) が、開閉表示部材(3) の外径よりも大きい内径を有する円筒状の胴部(42)および円板状の頂壁(43)よりなるハンドル本体(41)と、頂壁(43)に貼り付けられた銘板部(44)とよりなり、ハンドル(4) ののぞき窓(10)が、頂壁(43)の周縁部に設けられた相対的に大きい円弧状ののぞき窓(47)と、銘板部(44)の周縁部に設けられた相対的に小さい円弧状ののぞき窓(48)とが重ね合わせられることによって形成されていることを特徴とする開閉表示機能付き制御器。
【請求項２】
弁棒(2) が全開位置以上に上昇することを阻止する全開位置決め部材(5) が設けられていることを特徴とする請求項１の開閉表示機能付き制御器。
【請求項３】
全開位置決め部材(5) は円筒状で弁棒挿入孔(17)の上部に上下位置調整自在に挿入されており、弁棒(2) の中程に、弁棒(2) が全開位置にあるときに全開位置決め部材(5) の下端が当接する環状段部(29)が設けられていることを特徴とする請求項１または２の開閉表示機能付き制御器。
【請求項４】
全閉位置にある弁棒(2) をさらに下降させるようにハンドル(4) を回動させたときに、締過ぎ表示サイン(38)がのぞき窓(10)に表示されるようになされている請求項１、２または３の開閉表示機能付き制御器。
【請求項５】
弁箱(11)の上部に円筒状ボンネット(16)が結合されることにより形成されかつボンネット(16)の内周が上向きの弁棒挿入孔(17)となされる弁本体(1) と、弁棒挿入孔(17)に上端部を突出させて挿入されそのめねじ部(18)にねじ合わされた弁棒(2)と、弁本体(1) の上端部に設けられた環状の開閉表示部材(3) と、開閉表示部材(3) の上方に配されて弁棒(2) の上端部に固定されたハンドル(4) とを備え、ハンドル(4) の回動操作に伴う弁棒(2) の上下動により弁本体(1) 内の通路(12)(13)が開閉されるとともに、ハンドル(4) に設けられたのぞき窓(10)より開閉表示部材(3) に設けられた開および閉記号(34)(35)を観察することにより通路(12)(13)の開閉状態が確認できるようになされている開閉表示機能付き制御器において、
弁棒挿入孔(17)の上部に円筒状の全開位置決め部材(5) が上下位置調整自在に挿入されているとともに、弁棒(2) の中程に、弁棒(2) が全開位置にあるときに全開位置決め部材(5) の下端が当接する環状段部(29)が設けられており、
開閉表示部材(3) は、上面に開および閉記号(34)(35)が表わされている環状表示板部(31)と、環状表示板部(31)の内周縁部より下方にのび、貫通めねじ部(33)を有し、かつボンネット(16)に回転自在に嵌め被せられる円筒状胴部(32)とよりなり、貫通めねじ部(33)にねじ込まれたロックねじ(39)により所定の回転位置でボンネット(16)に固定されていることを特徴とする開閉表示機能付き制御器。
【請求項６】
全開位置決め部材(5) は、ボンネット(16)にあけられた貫通めねじ部(53)にねじ込まれたロックねじ(54)により所定の高さ位置でボンネット(16)に固定されていることを特徴とする請求項５の開閉表示機能付き制御器。
【発明の詳細な説明】
【０００１】
【発明の属する技術分野】
この発明は、ハンドルに設けられたのぞき窓より開閉表示部材に設けられた開および閉記号を観察することにより通路の開閉状態が確認できるようになされている開閉表示機能付き制御器に関する。
【０００２】
【従来の技術】
従来、開閉表示機能付き制御器としては、一端部が弁本体から突出しかつ弁本体に回動自在に保持されている弁棒と、弁棒の突出部に固定されかつのぞき窓が設けられている板状ハンドル車と、弁棒の軸心を回転中心として自在に回転するように弁本体に支持されかつのぞき窓の弁棒を中心とする回転半径と等しい半径をもつ円周上に互いに間隔をおいて開および閉記号が表わされている開閉表示部材とを備えており、のぞき窓と開記号が合致した状態でハンドル車を弁が開かれる正方向に回転させるときに係合する係合部がハンドル車と開閉表示部材にそれぞれ設けられるとともに、のぞき窓と閉記号が合致した状態でハンドル車を弁が閉じられる逆方向に回転させるときに互いに係合する係合部がハンドル車と開閉表示部材にそれぞれ設けられ、ハンドル車の係合部と開閉表示部材の係合部が互いに係合していない状態ではハンドル車と開閉表示部材は相対的に回転自在であるものが知られている（特開昭６２−２７４１８２号公報参照）。
【０００３】
【発明が解決しようとする課題】
上記従来の開閉表示機能付き制御器では、のぞき窓に開および閉記号のいずれかを合致させた状態でハンドル車と開閉表示部材がとも回りをするようになっているため、全開状態の少し手前から全開状態までの間は、のぞき窓に開記号が表示され、全閉状態の少し手前から全閉状態までの間は、のぞき窓に閉記号が表示されることになり、のぞき窓からの観察からは、全開状態かその少し手前なのか、あるいは、全閉状態かその少し手前なのかを正確に把握することはできないという問題があった。また、適正な全開状態とそれよりも開いた状態との区別および適正な全閉状態とそれよりも閉じた状態との区別もできないため、開方向への回し過ぎや閉方向への回し過ぎという問題もあった。
【０００４】
また、この種の開閉表示機能付き制御器は、複数個並んで使用される場合に、すべての制御器の開記号が所定位置（例えば流路の入口に一致した位置）にくることが要求されるが、弁棒の上端部とハンドルにあけられた孔とを嵌め合わせるさい、各ハンドルに表示された開記号が所定位置から角度にして数°〜数十°程度の範囲でばらつくことにより、この要求が満たされないという問題もあった。
【０００５】
この発明の目的は、全開状態および全閉状態を正確に読み取ることができ、開方向および閉方向への回し過ぎを防止することができる開閉表示機能付き制御器を提供することにある。
【０００６】
この発明の他の目的は、弁棒の上端部とハンドルにあけられた孔とを嵌め合わせるさいに生じる開記号位置のずれの問題を解消することができる開閉表示機能付き制御器を提供することにある。
【０００７】
【課題を解決するための手段および発明の効果】
この発明による開閉表示機能付き制御器は、上向きの弁棒挿入孔を有する弁本体と、弁棒挿入孔に上端部を突出させて挿入されそのめねじ部にねじ合わされた弁棒と、弁本体の上端部に設けられた環状の開閉表示部材と、開閉表示部材の上方に配されて弁棒の上端部に固定されたハンドルとを備え、ハンドルの回動操作に伴う弁棒の上下動により弁本体内の通路が開閉されるとともに、ハンドルに設けられたのぞき窓より開閉表示部材に設けられた開および閉記号を観察することにより通路の開閉状態が確認できるようになされている開閉表示機能付き制御器において、弁棒が全開位置以上に上昇することを阻止する全開位置決め部材が設けられていることを特徴とするものである。
【０００８】
この発明の開閉表示機能付き制御器によると、弁棒が全開位置（正しい開位置）以上に上昇することが、全開位置決め部材により阻止されるから、全開位置が明確になって、全開状態を正確に読み取ることができるとともに、開方向への回し過ぎも防止される。
【０００９】
全開位置決め部材は円筒状で弁棒挿入孔の上部に上下位置調整自在に挿入されており、弁棒の中程に、弁棒が全開位置にあるときに全開位置決め部材の下端が当接する環状段部が設けられていることが好ましい。このようにすると、弁棒を全開位置にした後、全開位置決め部材を弁棒挿入孔の上部に挿入し、ねじ等で弁本体に固定するだけで全開位置決め部材が取り付けられるので、制御器の製造（組立）が容易に行える。
【００１０】
全閉位置（正しい閉位置）にある弁棒をさらに下降させるようにハンドルを回動させたときに、締過ぎ表示サインがのぞき窓に表示されるようになされていることが好ましい。このようにすると、全閉位置が明確になって、全閉状態を正確に読み取ることができるとともに、閉方向への回し過ぎも防止される。
【００１１】
また、ハンドルは、開閉表示部材の外径よりも大きい内径を有する円筒状の胴部および円板状の頂壁よりなるハンドル本体と、頂壁に貼り付けられた銘板部とよりなり、ハンドルののぞき窓が、頂壁の周縁部に設けられた相対的に大きい円弧状ののぞき窓と、銘板部の周縁部に設けられた相対的に小さい円弧状ののぞき窓とが重ね合わせられることによって形成されていることが好ましい。このようにすると、弁棒にハンドル本体を固定した後で、銘板部をそののぞき窓の中心が開記号に一致するように貼り付け可能となり、開記号が必ず所定位置にくる制御器を容易に製造することができる。
【００１２】
【発明の実施の形態】
この発明の実施の形態を、以下図面を参照して説明する。
【００１３】
図１から図５までは、この発明の開閉表示機能付き制御器を示しており、上向きの弁棒挿入孔(17)を有する弁本体(1) と、弁棒挿入孔(17)に上端部を突出させて挿入された弁棒(2) と、弁本体(1) の上端部に設けられた環状の開閉表示部材(3) と、開閉表示部材(3) の上方に配されて弁棒(2) の上端部に固定されたキャップ状のハンドル(4) とを備えている。弁棒挿入孔(17)、弁棒(2) 、開閉表示部材(3) およびハンドル(4) は、すべて同一の中心軸を有している。ハンドル(4) には、のぞき窓(10)が設けられており、開閉表示部材(3) に設けられた開および閉記号(34)(35)をのぞき窓(10)観察することにより、弁本体(1) 内の通路(12)(13)の開閉状態が確認できる。
【００１４】
弁本体(1) は、制御器の下端部に位置する弁箱(11)と、弁箱(11)の上部に袋ナット(23)により結合された円筒状ボンネット(16)とよりなる。
【００１５】
弁箱(11)は、上端を開口した弁室(14)、左向きの入口通路(12)および右向きの出口通路(13)を有している。入口通路(12)は、弁室(14)の底面中央部に通じ、出口通路(13)は、弁室(14)の底面周縁部に通じている。弁室(14)の底面には、入口通路(12)の弁室(14)側の開口縁部を囲むように環状の弁座(6) が配置されている。弁座(6) の上面に接するように円板状のダイヤフラム(7) が配置されている。
【００１６】
ボンネット(16)は、内周が弁棒挿入孔(17)とされているもので、下端部が弁室(14)に挿入されている。弁棒挿入孔(17)には、上端部近くから略中央部までのびるめねじ部(18)が設けられ、このめねじ部(18)に、弁棒挿入孔(17)の下から挿入された弁棒(2) のおねじ部(24)がねじ合わされている。弁棒挿入孔(17)の下端部には、ダイヤフラム押さえ(8) が挿入されている。ボンネット(16)の外周の中程には、フランジ(19)が設けられており、このフランジ(19)の上から袋ナット(23)が被せられて弁箱(11)のおねじ部(15)にねじ合わされることにより、弁本体(1) が形成されている。ボンネット(16)の外周のフランジ(19)の上部にはおねじ部(20)が設けられ、これには、制御器をパネル等に取り付けるさいに用いられるナット(9) が嵌め合わされている。
【００１７】
弁棒(2) は、おねじ部(24)の上端に連なりおねじ部(24)より小径の円柱部(25)と、円柱部(25)のさらに上端に連なる角柱部(26)と、角柱部(26)のさらに上端に連なる小径おねじ部(27)とを備えている。
【００１８】
弁棒挿入孔(17)の下部は、めねじ部(18)の径よりも若干大きくなされて、環状段部(21)が形成されており、これに対応して弁棒(2) の下部もおねじ部(24)より若干大きくなされて、環状段部(28)が形成されている。したがって、弁棒挿入孔(17)の下から弁棒(2) をねじ込んでいったときに、両段部(21)(28)が当接したところで弁棒(2) がそれ以上上昇することが阻止されている。
【００１９】
開閉表示部材(3) は、上面に同一円周上に互いに１８０°の間隔をおいて開および閉記号(34)(35)が表わされている環状表示板部(31)と、環状表示板部(31)の内周縁部より下方にのびる円筒状胴部(32)とよりなり、開記号(34)と弁本体(1) の入口通路(12)とが上下に対応する位置でボンネット(16)に固定されている。胴部(32)には、貫通めねじ部(33)が設けられている。開閉表示部材(3) には、図４に示すように、ＯおよびＣで表された開および閉記号(34)(35)のほか、開記号(34)のバックの地の色とされた赤色(36)と、閉記号(35)のバックの地の色とされた青色(37)と、青色(37)の時計方向側にあって締過ぎを表示する赤色(38)とが塗られている。
【００２０】
ハンドル(4) は、開閉表示部材(3) の外径よりも大きい内径を有する円筒状の胴部(42)および円板状の頂壁(43)よりなるハンドル本体(41)と、頂壁(43)に貼り付けられた銘板部(44)とよりなる。頂壁(43)の中央には、弁棒(2) の角柱部(26)が嵌め入れられる角孔(45)が設けられている。銘板部(44)の中央には、この角孔(45)より大きい円孔(46)が設けられている。頂壁(43)および銘板部(44)の周縁部には、それぞれ円弧状ののぞき窓(47)(48)が設けられており、頂壁(43)ののぞき窓(47)は、中心角にして略１６０°とされ、銘板部(44)ののぞき窓(48)は、中心角にして略７０°とされている。これらののぞき窓(47)(48)同士が重ね合わせられることによって、中心角にして略７０°のハンドル(4) ののぞき窓(10)が形成されている。ハンドル(4) は、頂壁(43)の角孔(45)を弁棒(2) の角柱部(26)に嵌め合わせるとともに、角柱部(26)の上にある小径おねじ部(27)にナット(40)が嵌め合わされることによって、弁棒(2) に固定されている。
【００２１】
制御器が開の状態から、ハンドル(4) を平面より見て１８０°時計方向に回転させると、弁棒(2) のおねじ部(24)と弁棒挿入孔(17)のめねじ部(18)とが互いにねじ合わされていることによって、弁棒(2) が下降させられ、弁棒(2) の下端部がダイヤフラム押さえ(8) を介してダイヤフラム(7) を押圧する。その結果、ダイヤフラム(7) が弁座(6) に密接して入口通路(12)と出口通路(13)の間が遮断され、制御器が閉の状態となる。制御器の全閉位置は、締付トルクの適正値によって決定される。また、制御器の全開位置は、制御器の全閉位置より、ハンドル(4) を１８０°反時計方向に回転させた位置とされる。
【００２２】
制御器の全閉位置より、ハンドル(4) を１８０°よりも多く反時計方向に回転させた場合、弁棒(2) の下部に形成された環状段部(28)が、弁棒挿入孔(17)の下部に形成された段部(21)に当接させられて、弁棒(2) はこれ以上上昇しない。しかしながら、このときの弁棒(2) の位置は、かなりばらつくため、全開位置を正確に決めることができない。
【００２３】
そこで、全開位置を正確に決めるために、弁棒挿入孔(17)の上部に、短円筒状の全開位置決め部材(5) が挿入されている。全開位置決め部材(5) は、後述するように、弁棒(2) が通路全開位置よりも上昇することを阻止するものである。全開位置決め部材(5) の外周には、弁棒挿入孔(17)のめねじ部(18)にねじ合わされるおねじ部(51)が設けられている。また、全開位置決め部材(5) の上端部には、フランジ部(52)が設けられている。
【００２４】
以下、本発明の主要部の構成およびその作用・効果について、組立順序に従って説明する。
【００２５】
▲１▼弁棒(2) およびダイヤフラム押さえ(8) が挿入されたボンネット(16)が、底面にダイヤフラム(7) が載せられた弁室(14)内に挿入され、ボンネット(16)と弁箱(11)とが袋ナット(23)で結合される。ここまでは、ほぼ従来と同じであるが、袋ナット(23)による結合時に、ボンネット(16)や弁棒(2) の位置決めが必要ないので、結合作業が楽にできる。
【００２６】
▲２▼次いで、弁棒(2) を時計方向に回転させて全閉時の規定締付トルクに達するまで締め付ける。この位置に弁棒(2) があるときが正しい全閉位置である。
【００２７】
▲３▼次いで、弁棒(2) をちょうど１８０°反時計方向に回転させる。これが正しい全開位置である。このときに、全開位置決め部材(5) をボンネット(16)の上端開口から挿入して、弁棒挿入孔(17)のめねじ部(18)にねじ込んでいく。ねじ込みは、弁棒(2) のおねじ部(24)と円柱部(25)との間に形成されている環状段部(29)に当接するまで行う。そして、ボンネット(16)にあけられた２か所の貫通めねじ部(53)に、それぞれロックねじ(54)をねじ込み、全開位置決め部材(5) をボンネット(16)に固定する。これで、弁棒(2) が全開位置よりもさらに上昇することが防止される。
【００２８】
▲４▼次いで、開閉表示部材(3) を取り付ける。開閉表示部材(3) をボンネット(16)の上端部から嵌め被せると、ボンネット(16)の外周の開閉表示部材受け用段部(22)に当たって止まるので、ここで、開記号(34)と入口通路(12)とが一致するように開閉表示部材(3) を回し、開閉表示部材(3) の胴部(32)にあけられた２か所の貫通めねじ部(33)に、それぞれロックねじ(39)をねじ込み、開閉表示部材(3) をボンネット(16)に固定する。このとき、閉記号(35)は、弁本体(1) の出口通路(13)の真上にくる。
【００２９】
▲５▼次いで、弁棒(2) の角柱部(26)にハンドル本体(41)の頂壁(43)の角孔(45)を嵌め合わせる。ここで、▲１▼のときに位置決めを行っていないことおよび▲４▼のときに開記号(34)と入口通路(12)とが一致するように開閉表示部材(3) を固定していることによって、ハンドル本体(41)の頂壁(43)にあけられたのぞき窓(47)の中心と開記号(34)とは必ずしも一致しない。そこで、頂壁(43)ののぞき窓(47)は、弁棒(2) とハンドル本体(41)との嵌め合わせが変わっても、開記号(34)が見えるように大きくなされている。例えば、図２の状態から、弁棒(2) が４５°時計方向に回転したときには、頂壁(43)ののぞき窓(47)の反時計方向側の端に近い部分(47a) が、開記号(34)と一致することになる。弁棒(2) の角柱部(26)の横断面が正方形の場合、±４５°の余裕を設けておけば弁棒(2) がどの位置にあっても頂壁(43)ののぞき窓(47)から開記号(34)を確認することができる。
【００３０】
▲６▼次いで、銘板部(44)を頂壁(43)に貼り付ける。銘板部(44)ののぞき窓(48)は、開記号(34)に合わせた大きさとされており、こののぞき窓(48)の中心と開記号(34)の中心とが一致する位置で、銘板部(44)を接着剤で頂壁(43)に固定する。これにより、頂壁(43)ののぞき窓(47)の大きすぎる部分は銘板部(44)ののぞき窓(48)が無い部分に隠される。こうして、開記号(34)の位置と入口通路(12)の位置とが一致し、弁棒(2) が全開位置よりもさらに上昇することが防止され、かつ、全開位置においてハンドル(4) ののぞき窓(10)の中心と開記号(34)の中心とが一致している開閉表示機能付き制御器が製作される。
【００３１】
▲７▼最後に、弁棒(2) を時計方向に回転させて全閉時の規定締付トルクに達するまで締め付けて、ハンドル(4) ののぞき窓(10)の中心と閉記号(35)の中心とが一致するかどうかを確認する。▲１▼から▲６▼までの操作が正しく行われていれば、これは当然一致し、正常品であることが確かめられる。
【００３２】
なお、図１は、弁棒(2) が全開位置にある状態を示しており、ダイヤフラム(7) が弁座(6) より離れるとともに、全開位置決め部材(5) が弁棒(2) のおねじ部(24)上端の環状段部(29)に当接している。これに対して、図３は、弁棒(2) が全閉位置にある状態を示しており、ハンドル(4) が１８０°回転し、ダイヤフラム(7) が弁座(6) に押し付けられ、全開位置決め部材(5) が弁棒(2) のおねじ部(24)上端の環状段部(29)から離れている。全開位置決め部材(5) と環状段部(29)との距離は、０．６〜０．７ｍｍ程度である。
【００３３】
図５は、のぞき窓(10)から観察される開閉記号(34)(35)の変化の様子を示すものである。（ａ）に示すように、全開状態では、英字記号「Ｏ」とともに、そのバックの地が赤色(36)で表示される。ハンドル(4) を４０°時計方向に回転させたあたりから、（ｂ）に示すように赤色(36)の地の後に青色(37)の地が見え始める。そして、ハンドル(4) を全開の状態から時計方向に１８０°回転させると、（ｃ）に示すように、バックの地がすべて青色(37)になるとともに、英字記号「Ｃ」がのぞき窓(10)の中央に表示され、全閉状態となったことが確認できる。仮に、この状態から、さらに、時計方向に回転させた場合は、（ｄ）に示すように青色(37)の地の後に赤色(38)の地が見え始める。作業者は、この赤色(38)を締過ぎ表示サインと受け取って、回転を中止することになり、締過ぎが防止される。なお、（ｃ）に示す全閉状態からハンドル(4) を反時計方向に回転させると、（ｂ）の状態を経て（ａ）の状態となるが、上述したように、（ａ）の状態以上にハンドル(4) を反時計方向に回転させることはできない。
【００３４】
なお、上記実施形態において、ダイヤフラム(7) を用いる制御器を例にして説明したが、弁体や弁座の構成については、これに限られるものではない。また、制御器は、弁棒(2) を１８０°回転させて開閉させるものだけでなく、９０°や２７０°回転させて開閉させるものでもよい。弁棒(2) の角柱部の断面についても、正方形に限られるものではなく、正六角形やセレーションとしてももちろんよい。六角形とする場合、正方形では±４５°の余裕が必要であったのが、±３０°で済み、セレーションではさらに少なくて済む。また、全開位置決め部材(5) の外周には、弁棒挿入孔(17)のめねじ部(18)にねじ合わされるおねじ部(51)が設けられているが、全開位置決め部材は、弁棒挿入孔(17)に緩く嵌め入れられる筒状であってもよい。
【図面の簡単な説明】
【図１】この発明による開閉表示機能付き制御器の全開状態を示す縦断面図である。
【図２】同平面図である。
【図３】開閉表示機能付き制御器の全閉状態を示す縦断面図である。
【図４】要部の分解斜視図である。
【図５】全開状態からハンドルを回転させたさい、のぞき窓から観察される表示状態を順次示す平面図である。
【符号の説明】
(1)     弁本体
(2)     弁棒
(3)     開閉表示部材
(4)     ハンドル
(5)     全開位置決め部材
(10)    のぞき窓
(12)    入口通路
(13)    出口通路
(17)    弁棒挿入孔
(18)    めねじ部
(29)    環状段部
(34)    開記号
(35)    閉記号
(38)    締過ぎ表示色
(41)    胴部
(42)    頂壁
(43)    本体部
(44)    銘板部
(47)    のぞき窓
(48)    のぞき窓
【図１】
0003774796.tif 000002
【図２】
0003774796.tif 000003
【図３】
0003774796.tif 000004
【図４】
0003774796.tif 000005
【図５】
0003774796.tif 000006